(57)【要約】【課題】天敵昆虫の運搬における天敵昆虫の生態を考慮した効率的な形態と包装方法を提供し天敵昆虫の利用を容易にする。【解決手段】農作物の害虫の天敵昆虫を、該天敵昆虫の産卵植物と共に容器内に保持して輸送運搬すると同時に飼育することによって天敵昆虫の数を増やし、農作物栽培圃場において天敵昆虫の産卵済み植物を配置する。【選択図】図１
2006271307.tif 000002
【特許請求の範囲】
【請求項１】
農作物の害虫の天敵昆虫を、該天敵昆虫の産卵植物と共に容器内に保持して輸送運搬することを特徴とする天敵昆虫の運搬増殖方法。
【請求項２】
前記天敵昆虫がヒメハナカメムシ類であって、前記産卵植物がベンケイソウ科植物、スベリヒユ科植物、オトンナ属およびフクロソウ科植物からなる群より選択される１種または２種以上であることを特徴とする請求項１に記載の天敵昆虫の運搬増殖方法。
【請求項３】
前記産卵植物がエケベリア、カゲツ、ニジノタマ、カランコエ、コルムネア、ポーチュラカ、オトンナカペンシスおよびゼラニウムからなる群より選択される１種または２種以上であることを特徴とするまたは請求項２に記載の天敵昆虫の運搬増殖方法。
【請求項４】
農作物の害虫の天敵昆虫を、該天敵昆虫の産卵植物と共に容器内に保持して輸送運搬し、農作物栽培圃場において天敵昆虫の産卵済み植物を配置することを特徴とする天敵昆虫の放飼方法。
【請求項５】
前記天敵昆虫を放飼する圃場において、天敵昆虫の産卵済み植物の茎と孵化幼虫を農作物上に載せることにより、天敵昆虫を農作物上に放すことを特徴とする請求項４に記載の天敵昆虫の放飼方法
【請求項６】
農作物の害虫の天敵昆虫を入れるプラスチック製または紙製の容器と、
該容器内に配置された産卵植物と、
該容器内壁に設けられて天敵昆虫を保護する緩衝材と、
該容器の底部に配置されたウレタンまたはワタ等の吸湿剤と、を備え、該吸湿剤に前記産卵植物の茎基部を挟み込んで水分を供給させることを特徴とする、天敵昆虫の運搬増殖装置。
【請求項７】
前記天敵昆虫を入れる容器には、前記天敵昆虫の産卵済み植物上で孵化した幼虫の死亡を防ぐために、花粉、蜂蜜および蔗糖液からなる群より選択される１種または２種以上の餌を備えることを特徴とする請求項６に記載の天敵昆虫の運搬増殖装置。
【請求項８】
前記天敵昆虫の運搬用装置内に具備すべき餌としての前記花粉は、トウモロコシまたは茶の花粉であり、蜂蜜または蔗糖液は濃度10〜50%であることを特徴とする請求項７に記載の天敵昆虫の運搬増殖装置。
【請求項９】
前記天敵昆虫がヒメハナカメムシ類であって、前記産卵植物がベンケイソウ科植物、スベリヒユ科植物、オトンナ属およびフクロソウ科植物からなる群より選択される１種または２種以上であることを特徴とする請求項９に記載の天敵昆虫の運搬増殖装置。
【請求項１０】
前記産卵植物がエケベリア、カゲツ、ニジノタマ、カランコエ、コルムネア、ポーチュラカ、オトンナカペンシスおよびゼラニウムからなる群より選択される１種または２種以上であることを特徴とするまたは請求項１０に記載の天敵昆虫の運搬増殖装置。
【発明の詳細な説明】
【技術分野】
【０００１】
本発明は農作物を害虫の被害から保護するために用いる天敵昆虫の放飼方法、運搬増殖方法及び運搬増殖装置に関するものである。
【背景技術】
【０００２】
従来から、農作物に発生し被害をもたらす害虫の防除は、多くの場合化学農薬を用いて行われている。近年、環境保護を目的として、あるいは消費者の志向から、化学農薬の使用量を減らす防除技術が求められ、その１つの方法として生物防除、具体的には天敵昆虫などが使用されるようになってきた（特許文献１及び２）。天敵昆虫は生物であるため、化学農薬のような無機物とは異なり、飼育、運搬、及び放飼方法に各々の独自の特殊性を有している（特許文献３および４）。
【特許文献１】特開２００３−９２９６２号公報
【特許文献２】特開２００２−４７１１６号公報
【特許文献３】特開２００３−７９２７１号公報
【特許文献３】特開平１１−１３９４５０号公報
【発明の開示】
【発明が解決しようとする課題】
【０００３】
天敵昆虫の運搬は、例えばククメリスカブリダニ（ククメリス（登録商標））、ミヤコカブリダニ(スパイカル（登録商標）)などは500mlの容器に天敵ダニと緩衝材としてフスマまたはオガコを入れて行っている。また、タイリクヒメハナカメムシ（タイリク（登録商標））では、緩衝材にバーミキュライトを用い、250mlボトルに入れて運搬していた。一方、ハモグリバエの天敵であるイサエヤヒメコバチ(マイネックス（登録商標）)は成虫をボトルに入れて運搬していた。
【０００４】
このようにボトルに天敵昆虫の成虫のみを入れて運搬する場合、あるいはタイリクヒメカメムシのように成虫と緩衝材を同時に入れて運搬する場合は、餌がないために天敵昆虫の寿命が著しく短命であるという課題があった。このため天敵昆虫を入手後は速やかに圃場の作物に放さなければならず、遅れると歩留まりが著しく低下するという課題があった。さらに、放したときに内部に緩衝剤として入れたフスマまたはオガコまたはチップが作物上に残り、これにカビが生えるためこれらの天敵を使用する農家からはこの解決を求められていた。
【０００５】
また、ヒメハナカメムシ類のような飛翅を有する天敵昆虫の成虫を圃場の作物に放す場合、圃場内に均一に放すことは困難であり、害虫の多少に関わらず空間に放つ方法であった。
【０００６】
雌成虫は産卵植物や餌がないと圃場外に飛去するため、作物への定着率が低下し、十分な害虫の密度抑制効果を発現しない場合も認められた。なお、本出願において産卵植物とは天敵昆虫が産卵するに適した植物をいい、産卵済み植物とは天敵昆虫が産卵した植物をいうものとする。また、放飼とは、天敵昆虫を農作物の上に放すことをいうものとする。
【０００７】
圃場の作物に合成ピレスロイド剤やネオニコチノイド剤などの天敵昆虫に影響のある殺虫剤が散布してあると放飼した天敵昆虫は逃げ場がなく、殆どが死亡していた。このため農薬の散布間隔と天敵昆虫を放飼する間隔が重要な課題であった。
【０００８】
施設栽培では、多くの病害虫が発生することと収穫時期を考慮した農薬の散布が求められる。しかし、天敵昆虫の納入日はほぼ決まっており、放飼日と他の病害虫防除の整合性を取ることは著しく難しかった。生物防除法では、このような問題が常時発生している。
【０００９】
本発明は上記問題点を解決するためになされたものであって、天敵昆虫をいままでの方法である成虫または幼虫という形態ではなく、植物の茎や葉に産卵させ、好ましくは、餌を与えることにより、幼虫および成虫にまで育てる飼育システムを運搬と同時に行い、多数の天敵昆虫をコンパクトに運搬し、長期間にわたって、圃場内に均一に放飼可能にすることを目的とする。
【課題を解決するための手段】
【００１０】
上記目的を達成するための請求項１に記載の天敵昆虫の運搬増殖方法は、農作物の害虫の天敵昆虫を、該天敵昆虫の産卵植物と共に容器内に保持して輸送運搬することを特徴とする。
【００１１】
請求項２に記載の運搬増殖方法は、天敵昆虫がヒメハナカメムシ類であって、前記産卵植物がベンケイソウ科植物、スベリヒユ科植物、オトンナ属およびフクロソウ科植物からなる群より選択される１種または２種以上であることを特徴とする。従来、タイリクヒメカメムシの場合通常ボトルには２５０頭入る。本発明によれば、産卵植物の茎に多数の、例えば５００個の卵を産卵させ運搬することができる。産卵植物を１０本用いた場合は５０００個の卵を運ぶことができる。羽化率が１００％であったと仮定すると、従来のボトルよりも２０倍の数のタイリクヒメカメムシを運搬することができる。
【００１２】
請求項３に記載の運搬増殖方法は、前記産卵植物がエケベリア、カゲツ、ニジノタマ、カランコエ、コルムネア、ポーチュラカ、オトンナカペンシスおよびゼラニウムからなる群より選択される１種または２種以上であることを特徴とする。
【００１３】
請求項４に記載の放飼方法は、農作物の害虫の天敵昆虫を、該天敵昆虫の産卵植物と共に容器内に保持して輸送運搬し、農作物栽培圃場において天敵昆虫の産卵済み植物を配置することを特徴とする。
【００１４】
請求項５に記載の放飼方法は、前記天敵昆虫を放飼する圃場において、天敵昆虫の産卵済み植物の茎と孵化幼虫を農作物上に載せることにより、天敵昆虫を農作物上に放すことを特徴とする。該天敵昆虫を放飼する圃場では、天敵昆虫の成虫は容器を解放することにより圃場内に飛び出して分散し、また、産卵した植物の茎を作物体上に均等または該害虫の多いところに配置することにより、幼虫、成虫ともに天敵昆虫を作物体上に放し、害虫の発生にあわせた放飼ができる。
【００１５】
請求項６に記載の運搬増殖装置は、農作物の害虫の天敵昆虫を入れるプラスチック製または紙製の容器と、該容器内に配置された産卵植物と、該容器内壁に設けられて天敵昆虫を保護する緩衝材と、該容器の底部に配置されたウレタンまたはワタ等の吸湿剤と、を備え、該吸湿剤に前記産卵植物の茎基部を挟み込んで水分を供給させることを特徴とする。
【００１６】
請求項７に記載の運搬増殖装置は、前記天敵昆虫を入れる容器には、前記天敵昆虫の産卵済み植物上で孵化した幼虫の死亡を防ぐために、花粉、蜂蜜および蔗糖液からなる群より選択される１種または２種以上の餌を備えることを特徴とする。
請求項８に記載の運搬増殖装置は、前記天敵昆虫の運搬用装置内に具備すべき餌としての前記花粉は、トウモロコシまたは茶の花粉であり、蔗糖液は濃度10〜50%であることを特徴とする。
【００１７】
請求項９に記載の運搬増殖装置は、天敵昆虫がヒメハナカメムシ類であって、前記産卵植物がベンケイソウ科植物、スベリヒユ科植物、オトンナ属およびフクロソウ科植物からなる群より選択される１種または２種以上であることを特徴とする。
請求項１０に記載の運搬増殖装置は、前記産卵植物がエケベリア、カゲツ、ニジノタマ、カランコエ、コルムネア、ポーチュラカ、オトンナカペンシスおよびゼラニウムからなる群より選択される１種または２種以上であることを特徴とする。
【００１８】
本発明の天敵昆虫の運搬増殖方法、放飼方法および装置は、例えば、施設で栽培される天敵昆虫、特にタイリクヒメハナカメムシなどの天敵昆虫を利用するために使用でき、防除の対象となる害虫はスリップス類、ハモグリバエ類及びアブラムシ類などが挙げられる。しかしながら、本発明は上記の天敵昆虫や農作物の保護及び対象害虫の防除に限定されるものではない。
【発明の効果】
【００１９】
本発明によれば、次のような効果を発揮することができる。
請求項１に記載の天敵昆虫の運搬増殖方法によれば、農作物栽培圃場においては当初から容器内に生存していた天敵昆虫の成虫のみでなく産卵ずみ植物、孵化した幼虫、さらには成長した成虫を作物上やその間に放すことが可能となる。これにより均一に天敵昆虫を圃場内作物に放すことができる。また、幼虫と成虫の存在を圃場内に創出できるため、より高い害虫の抑制効果を発現するという効果を有する。また、運搬中に天敵昆虫の成虫が死亡しても産卵植物内に多数の卵が産み付けられており、これが次世代の天敵昆虫の成虫となるため、従来、天敵昆虫の運搬時間や保存は著しく大きな問題であったが、本発明によれば２日間以上の有余ができる。
【００２０】
請求項２および３に記載の運搬増殖方法によれば、育苗器などで多量に育てたベンケイソウ科植物、好ましくはエケベリア、カゲツ、ニジノタマ、カランコエ及びコルムネア、またはスベリヒユ科植物、好ましくはポーチュラカ、またはオトンナ属植物、好ましくはオトンナカペンシス、またはフクロソウ科植物ゼラニウムの茎を産卵用に採取し産卵植物とする。１本の産卵植物の茎に数十個〜百個以上の卵が産卵されるため、10本程度あれば1000頭程度のヒメハナカメムシを確保することが可能であり、したがってコンパクトな容器で多数のヒメカメムシを運搬することができる。また、この方法によって、従来問題となっていた輸送中の成虫の死亡という問題が解決される。
【００２１】
請求項４に記載の放飼方法によれば、農作物栽培圃場における天敵昆虫の放飼が卵および幼虫の放飼となるため、圃場からの飛去が防止でき、さらには圃場内の任意の場所に放飼が可能になる。具体的には、害虫の発生の多い場所により多くの天敵昆虫を配分できる。
【００２２】
請求項５に記載の天敵昆虫の放飼法によれば、該天敵昆虫を放する圃場において、産卵済みの植物の茎または幼虫を作物体上に載せることにより、翅を有する天敵昆虫でも幼虫の形態で作物体上に放すことができるため、害虫の抑制効果を高めるという効果を発揮する。
【００２３】
請求項６に記載の運搬用装置によれば、当該天敵昆虫を入れ輸送する容器はプラスチック製または紙製であり、容器内壁には天敵昆虫を保護するための緩衝材を、底部に吸湿したウレタンまたはワタなどを配置し、これに産卵植物の茎基部を挟み込んで水分を供給させるため、産卵植物が長期間枯死しないという効果を発揮する。
【００２４】
請求項７または８に記載の天敵昆虫の運搬用装置および放飼方法によれば、当該天敵昆虫を入れる容器には、産卵植物で孵化した幼虫の死亡を防ぐため、餌として花粉及び／または蜂蜜または蔗糖液を備えることにより、容器内で孵化した幼虫が飢餓により死亡することを防ぐという効果を発揮する。請求項８に記載されているように蜂蜜または蔗糖液の濃度10〜50%液によれば生存を更に伸ばすことができる。
【００２５】
請求項９および１０に記載の運搬増殖装置によれば、育苗器などで多量に育てたベンケイソウ科植物、好ましくはエケベリア、カゲツ、ニジノタマ、カランコエ及びコルムネア、またはスベリヒユ科植物、好ましくはポーチュラカ、またはオトンナ属植物、好ましくはオトンナカペンシス、またはフクロソウ科植物ゼラニウムの茎を産卵用に採取し産卵植物とする。１本の産卵植物の茎に数十個〜百個以上の卵が産卵されるため、10本程度あれば1000頭程度のヒメハナカメムシを確保することが可能である。したがってコンパクトな容器で多数のヒメカメムシを運搬することができる。また、この方法によって、従来問題となっていた輸送中の成虫の死亡という問題が解決される。
【発明を実施するための最良の形態】
【００２６】
以下、本発明の実施形態につき、図面を併用して詳細に説明する。
本発明は、図１に示すように、容器１１内に吸水マット１５を敷き、その上に不透水性フィルム１６を配置し、これに穴をあけて産卵植物１３ａ，１３ｂを挿す。図示した実施形態では２種類の産卵植物を用いた例を示しているが、１種類でもよく、また３種類以上でもよい。容器の壁面には緩衝材として紙１９を張る。これにより天敵昆虫は保護され容器内での死亡が少なくなる。また、壁面には餌１７として花粉及び／または蜂蜜または蔗糖液を配置する。この容器の上には蓋１２を被せ、運搬用に取っ手１８を付ける。容器蓋には通気口として直径３cm程度の網穴２０を開ける。給水マット１５には水を施すため産卵植物が吸水できる。なお、図１において１４ａはタイリクヒメカメムシの成虫、１４ｂは卵及び幼虫を示す。
【００２７】
図１の装置内に、天敵昆虫を数日間入れて静置しておくと、産卵植物に卵が産み付けられる。さらに数日間すると幼虫が発生するので、茎と幼虫は作物上に直接おくようにする。
以上の実施形態によって発揮される効果を明らかにするため、試験例を以下に記載する。
【実施例】
【００２８】
（試験例１）
表１に示す各種の各産卵植物エケベリア、カゲツ、ニジノタマ、カランコエ、およびコルムネアを網室内で３ポットずつ栽培し、タイリクヒメハナカメムシ２０頭を放した。
７日後に１枝当たりの産卵数を、１０日後に１枝当たりの幼虫数を調べた。
（表１）
表１  産卵植物と枝当たり産卵数及び孵化幼虫数
━━━━━━━━━━━━━━━━━━━━━━━━━━━━━━━━━━━━━━━━
産卵植物          枝数    産卵数    孵化幼虫数                                  
エケベリア        20      120個/枝    95頭/枝
カゲツ            20       80         70
ニジノタマ        25      150        120
カランコエ        35      180        150
コルムネア        25       70         50
オトンナカペンシス25       85         80
ポーチュラカ      25      120        115
ゼラニウム        25      105         98                                        
【００２９】
この結果、カランコエ、ニジノタマ、エケベリア、ポーチュラカ、ゼラニウム、カペンシス、カゲツ及びコルムネアの順に産卵数と孵化幼虫数が多かった(表１)。カランコエとニジノタマ、ポーチュラカが特に有効な産卵植物として利用できる。
【００３０】
（試験例２）
該天敵昆虫運搬増殖装置内にカランコエとニジノタマの茎を挿し木し、タイリクヒメハナカメムシ雌５頭、雄３頭を放飼し２５日間保持した。また、この装置内に餌として花粉を入れた区、蜂蜜を入れた区、及び蔗糖液を入れた区を設置した。
（表２）
表２  天敵昆虫運搬増殖装置を用いたタイリクヒメハナカメムシの増殖と生息日数
━━━━━━━━━━━━━━━━━━━━━━━━━━━━━━━━━━━━━━━━
産卵植物      餌        枝  数    産卵数    孵化幼虫数      生息日数            
カランコエ    無          20       45/枝      44/枝         7日以内
ニジノタマ    無          20       42         39            7日以内
カランコエ    花粉        20       -/枝       44/枝        15日以上
ニジノタマ    花粉        20       -          39           15日以上
カランコエ    蜂蜜        20       -/枝       44/枝        15日以上
ニジノタマ    蜂蜜        20       -          39           15日以上
カランコエ    蔗糖液      20       -/枝       44/枝        15日以上
ニジノタマ    蔗糖液      20       -          39           15日以上            
【００３１】
この結果、カランコエ、ニジノタマともに１茎当たり４０頭程度の幼虫が発生した。また、餌として花粉、蜂蜜を入れると15日以上生息が確認できた。一方、餌を入れないと７日間以内にすべての幼虫が死亡した(表２)。このように本装置に餌を入れると、長期間タイリクヒメハナカメムシを生存させることができる。
【００３２】
（試験例３）
カランコエ及びニジノタマの枝にタイリクヒメハナカメムシに産卵させ、容器に入れた。濃度10〜70%の蔗糖液を容器の壁面に塗り、産卵数と幼虫孵化数、及び生息日数を調べた。
（表３）
表３  天敵昆虫運搬増殖装置を用いたタイリクヒメハナカメムシの増殖と生息日数
━━━━━━━━━━━━━━━━━━━━━━━━━━━━━━━━━━━━━━━━
産卵植物      餌        枝  数    産卵数    孵化幼虫数      生息日数            
カランコエ    無          20       45/枝      44/枝         7日以内
蔗糖10      20       40         40           15日以上
蔗糖20      20       35         35           15日以上
蔗糖30      20       37         37           15日以上
蔗糖40      20       47         47           15日以上
蔗糖50      20       50         48           15日以上
蔗糖60      20       60         34           10日
蔗糖70      20       44         20           10日
水のみ      20       42         36            7日以内            
（表３−２）
表３−２  天敵昆虫運搬増殖装置を用いたタイリクヒメハナカメムシの増殖と生息日数
━━━━━━━━━━━━━━━━━━━━━━━━━━━━━━━━━━━━━━━━
産卵植物      餌        枝  数    産卵数    孵化幼虫数      生息日数            
ニジノタマ    無          20       40/枝      40/枝         7日以内
蔗糖10      20       39         38           15日以上
蔗糖20      20       38         37           15日以上
蔗糖30      20       36         35           15日以上
蔗糖40      20       37         34           15日以上
蔗糖50      20       42         40           15日以上
蔗糖60      20       40         20           10日
蔗糖70      20       38         20           10日                
【００３３】
この結果、表３に示すように、蔗糖濃度は10〜50%で生息日数が長くなった。これにより放飼時期の延長が可能である。
【００３４】
（試験例４）
天敵昆虫運搬増殖装置を使用して産卵させたカランコエの枝をイチゴ栽培圃場に置き、スリップス類の防除効果を調べた。同装置にカランコエ６０本を挿し木し、タイリクヒメハナカメムシ産卵前の雌成虫５０頭を装置内に入れ、７日後にイチゴハウス内の株に静置した。対照区として、タイリクヒメハナカメムシ２０００頭／１０aを放飼した区を設置した。タイリク放飼３０日後に、１００花当たりのスリップス数とタイリクヒメハナカメムシ虫数を調べた。また、タイリクヒメハナカメムシ無処理区を設置した。
（表４）
表４  タイリクヒメハナカメムシ放飼後のイチゴ花弁における生息とスリップス数
━━━━━━━━━━━━━━━━━━━━━━━━━━━━━━━━━━━━━━━━
タイリクヒメハナカメムシ数    スリップス数                  
カランコエ区             20頭                      ０．２頭
対  照  区                ２                       ０．４
無処理区                  ０                  １００      以上                  
数は１００花当たりを示す。
【００３５】
この結果、天敵昆虫運搬増殖装置を使用してカランコエに産卵させた後、このカランコエをイチゴ株においても、タイリクヒメハナカメムシを圃場に放飼したと同じか、それ以上の効果を示した(表４)。従って、本装置は実用化が可能であることを示す。また、放飼時期をずらしても装置内で延命しているため、数日間の放飼日数を伸ばすことが可能で、延命効果があった。さらに、従来問題であった緩衝剤としてのオガコなどが作物に残り、これにカビが生えて植物体上が汚染されるという問題も解決された。
さらに、圃場内からのタイリクヒメハナカメムシの逃避も少なくなっていると推察された。これらのことは従来問題であった農薬散布後の放飼時期の延長も可能であることを示唆する。
【００３６】
（試験例５）
天敵昆虫運搬増殖装置にタイリクヒメハナカメムシを入れて、東京から大阪に２日間を費やしてトラックにて運搬し、タイリクヒメハナカメムシの産卵数と増加を調べた。装置には最初２０頭の雌成虫と１０頭の雄成虫を、産卵植物としてニジノタマの茎６０本を装置に入れた。到着後５日間室内に静置しておき、孵化してきた幼虫数を調べた。
【００３７】
この結果、装置内で孵化した幼虫数は２０００頭を越えており、実用的に使用できると考えられた。
【図面の簡単な説明】
【００３８】
【図１】本発明の実施形態の運搬増殖装置の概略図である。
【符号の説明】
【００３９】
１１  容器
１２  容器蓋
１３ａ，１３ｂ  産卵植物
１４ａ，１４ｂ  天敵昆虫
１５  吸水マット
１６  不透水性フィルム
１７  餌
１８  取っ手
１９  緩衝材
２０  通気口
【図１】
2006271307.tif 000003